【手続補正書】
【提出日】平成17年8月31日(2005.8.31)
【手続補正１】
【補正対象書類名】明細書
【補正対象項目名】特許請求の範囲
【補正方法】変更
【補正の内容】
【特許請求の範囲】
【請求項１】腹膜透析液を収容し、かつ接続チューブを有し、当該接続チューブが他のチューブに接合されるバッグであって、
当該接続チューブが他のチューブに無菌的に接合され、当該他のチューブを介して当該腹膜透析液が排出された後、当該接続チューブが当該他のチューブから無菌的に分離されることにより、空となった当該バッグ内の無菌状態が維持され、
その後、当該接続チューブが当該他のチューブに無菌的に再度接合され、当該他のチューブを介して使用済みの当該腹膜透析液が収容された後、当該接続チューブが当該他のチューブから無菌的に再度分離されることを特徴とする腹膜透析用バッグ。
【請求項２】腹膜透析液を収容し、かつ接続チューブを有し、当該接続チューブが他のチューブに接合されるバッグであって、
当該接続チューブが当該他のチューブとともに加熱ウェハによって溶融されながら切断され、当該接続チューブの切断面が当該他のチューブの切断面と溶着されることで無菌的に接合され、当該他のチューブを介して当該腹膜透析液が排出された後、当該接続チューブまたは当該他のチューブが当該加熱ウェハによって溶融されながら切断されることによってその切断面が閉塞溶着されて封止されることによって、空となった当該バッグ内の無菌状態が維持され、
その後、当該接続チューブが当該他のチューブとともに加熱ウェハによって溶融されながら再度切断され、当該接続チューブの切断面が当該他のチューブの切断面と溶着されることで無菌的に再度接合され、当該他のチューブを介して使用済みの当該腹膜透析液が収容された後、当該接続チューブまたは当該他のチューブが当該加熱ウェハによって溶融されながら再度切断されることによって、その接断面が閉塞溶着されて封止されること特徴とする腹膜透析用バッグ。
【請求項３】当該他のチューブが腹腔内に通じるチューブである請求項１又は２に記載の腹膜透析用バッグ。
【請求項４】腹膜透析液を収容し、かつ接続チューブを有するバッグの使用方法であって、当該接続チューブと他のチューブとを無菌的に接合し、当該他のチューブを介して当該バッグから当該腹膜透析液を排出した後、当該接続チューブと当該他のチューブとを無菌的に分離して、空となった当該バッグ内の無菌状態を維持し、
その後、当該接続チューブと当該他のチューブとを無菌的に再度接合し、当該他のチューブを介して当該バッグへ使用済みの当該腹膜透析液を収容した後、当該接続チューブと当該他のチューブとを無菌的に再度分離することを特徴とするバッグの使用方法。
【請求項５】腹膜透析液を収容し、かつ接続チューブを有するバッグの使用方法であって、当該接続チューブと他のチューブとを加熱ウェハによって溶融しながら切断し、その切断面同士を溶着して無菌的に接合し、当該他のチューブを介して当該バッグから当該腹膜透析液を排出した後、当該接続チューブまたは当該他のチューブを当該加熱ウェハによって溶融しながら切断し、その切断面の各々を閉塞溶着することによって封止して空となった当該バッグ内の無菌状態を維持し、
その後、当該接続チューブと当該他のチューブとを加熱ウェハによって溶融しながら切断し、その切断面同士を溶着して無菌的に再度接合し、当該他のチューブを介して当該バッグへ使用済みの当該腹膜透析液を収容した後、当該接続チューブまたは当該他のチューブを当該加熱ウェハによって溶融しながら再度切断し、その接断面の各々を閉塞溶着することによって封止することを特徴とするバッグの使用方法。
【請求項６】当該他のチューブが腹腔内に通じるチューブである請求項４又は５に記載のバッグの使用方法。
【手続補正２】
【補正対象書類名】明細書
【補正対象項目名】０００５
【補正方法】変更
【補正の内容】
【０００５】
【課題を解決するための手段】
上記課題は以下の本発明により解決される。
（１）本発明は、腹膜透析液を収容し、かつ接続チューブを有し、当該接続チューブが他のチューブに接合されるバッグであって、
当該接続チューブが他のチューブに無菌的に接合され、当該他のチューブを介して当該腹膜透析液が排出された後、当該接続チューブが当該他のチューブから無菌的に分離されることにより、空となった当該バッグ内の無菌状態が維持され、
その後、当該接続チューブが当該他のチューブに無菌的に再度接合され、当該他のチューブを介して使用済みの当該腹膜透析液が収容された後、当該接続チューブが当該他のチューブから無菌的に再度分離されることを特徴とする腹膜透析用バッグである。
【手続補正３】
【補正対象書類名】明細書
【補正対象項目名】０００６
【補正方法】変更
【補正の内容】
【０００６】
（２）本発明は、無菌的に、接合、分離、再度接合及び再度分離する際には実開平５−１３４５４号などに開示されている無菌的に接合、分離が可能なジョイントを使用する上記（１）に記載のバッグである。
【手続補正４】
【補正対象書類名】明細書
【補正対象項目名】０００７
【補正方法】変更
【補正の内容】
【０００７】
（３）本発明は、腹膜透析液を収容し、かつ接続チューブを有し、当該接続チューブが他のチューブに接合されるバッグであって、
当該接続チューブが当該他のチューブとともに加熱ウェハによって溶融されながら切断され、当該接続チューブの切断面が当該他のチューブの切断面と溶着されることで無菌的に接合され、当該他のチューブを介して当該腹膜透析液が排出された後、当該接続チューブまたは当該他のチューブが当該加熱ウェハによって溶融されながら切断されることによってその切断面が閉塞溶着されて封止されることによって、空となった当該バッグ内の無菌状態が維持され、
その後、当該接続チューブが当該他のチューブとともに加熱ウェハによって溶融されながら再度切断され、当該接続チューブの切断面が当該他のチューブの切断面と溶着されることで無菌的に再度接合され、当該他のチューブを介して使用済みの当該腹膜透析液が収容された後、当該接続チューブまたは当該他のチューブが当該加熱ウェハによって溶融されながら再度切断されることによって、その接断面が閉塞溶着されて封止されること特徴とする腹膜透析用バッグである。
【手続補正５】
【補正対象書類名】明細書
【補正対象項目名】０００８
【補正方法】変更
【補正の内容】
【０００８】
（４）本発明は、当該他のチューブが腹腔内に通じるチューブである上記（１）〜（３）に記載の腹膜透析用バッグである。
【手続補正６】
【補正対象書類名】明細書
【補正対象項目名】０００９
【補正方法】変更
【補正の内容】
【０００９】
（５）本発明は、当該他のチューブが腹腔内に通じるチューブに接合された交換チューブである上記（１）〜（４）に記載の腹膜透析用バッグである。
【手続補正７】
【補正対象書類名】明細書
【補正対象項目名】００１０
【補正方法】変更
【補正の内容】
【００１０】
（６）本発明は、腹膜透析液を収容し、かつ接続チューブを有するバッグの使用方法であって、当該接続チューブと他のチューブとを無菌的に接合し、当該他のチューブを介して当該バッグから当該腹膜透析液を排出した後、当該接続チューブと当該他のチューブとを無菌的に分離して、空となった当該バッグ内の無菌状態を維持し、
その後、当該接続チューブと当該他のチューブとを無菌的に再度接合し、当該他のチューブを介して当該バッグへ使用済みの当該腹膜透析液を収容した後、当該接続チューブと当該他のチューブとを無菌的に再度分離することを特徴とするバッグの使用方法である。
【手続補正８】
【補正対象書類名】明細書
【補正対象項目名】００１１
【補正方法】変更
【補正の内容】
【００１１】
（７）本発明は、無菌的に、接合、分離、再度接合及び再度分離する際には実開平５−１３４５４号などに開示されている無菌的に接合、分離が可能なジョイントを使用する上記（６）に記載のバッグの使用方法である。
【手続補正９】
【補正対象書類名】明細書
【補正対象項目名】００１２
【補正方法】変更
【補正の内容】
【００１２】
（８）本発明は、腹膜透析液を収容し、かつ接続チューブを有するバッグの使用方法であって、当該接続チューブと他のチューブとを加熱ウェハによって溶融しながら切断し、その切断面同士を溶着して無菌的に接合し、当該他のチューブを介して当該バッグから当該腹膜透析液を排出した後、当該接続チューブまたは当該他のチューブを当該加熱ウェハによって溶融しながら切断し、その切断面の各々を閉塞溶着することによって封止して空となった当該バッグ内の無菌状態を維持し、
その後、当該接続チューブと当該他のチューブとを加熱ウェハによって溶融しながら切断し、その切断面同士を溶着して無菌的に再度接合し、当該他のチューブを介して当該バッグへ使用済みの当該腹膜透析液を収容した後、当該接続チューブまたは当該他のチューブを当該加熱ウェハによって溶融しながら再度切断し、その接断面の各々を閉塞溶着することによって封止することを特徴とするバッグの使用方法である。
【手続補正１０】
【補正対象書類名】明細書
【補正対象項目名】００１３
【補正方法】変更
【補正の内容】
【００１３】
（９）本発明は、当該他のチューブが腹腔内に通じるチューブである上記（６）〜（８）に記載のバッグの使用方法である。
【手続補正１１】
【補正対象書類名】明細書
【補正対象項目名】００１４
【補正方法】変更
【補正の内容】
【００１４】
（１０）本発明は、当該他のチューブが腹腔内に通じるチューブに接合された交換チューブである上記（６）〜（９）に記載のバッグの使用方法である。
【手続補正１２】
【補正対象書類名】明細書
【補正対象項目名】００１８
【補正方法】変更
【補正の内容】
【００１８】
つぎに図２に示すように、接続チューブ１２の先端１３と交換チューブ２の先端２１を加熱ウェハによって溶融しながら切断し、そして図３に示すようにその切断面同士を溶着して無菌的に接合する。接続チューブ１２と交換チューブ２を接合した後、クレンメ５を開状態とし、バッグ１を吊り下げるなどによってバッグ本体１１内の腹膜透析液１４を、接続チューブ１２、交換チューブ２及び腹膜チューブ３を介して腹腔内に注入する。なお、チューブを溶融しながら切断・接合する際には、加熱ウェハを内部に備えた無菌接合装置を使用することが望ましく、具体的にはＴＳＣＤ（登録商標） ＳＣ−１０１（テルモ株式会社製）などがあげられる。